(57)【要約】【課題】受皿部にフランジの厚さを吸収する切溝がない通常のブラケットを使用できる握り棒の接続具を提供する。【解決手段】２本の握り棒４の端面間に挟まれる中挟板５の周囲に、握り棒４の外周に被さるフランジ６を設け、ブラケット２の受皿部３上で握り棒４同士を接続する手摺用接続具において、前記フランジ６を切り欠いて、中挟板５の下部周縁に露出部７を設け、この露出部７がブラケット２の受皿部３に直接接触するようにし、ブラケット２の受皿部３に切溝がなくても、握り棒４の外周が受皿部３に密着して受け止められ、安定して支持されるようにする。【選択図】図２
2005120735.tif 000002
【特許請求の範囲】
【請求項１】
２本の握り棒の端面間に挟まれる中挟板の周囲に、握り棒の外周に被さるフランジを設け、ブラケットの受皿部上で握り棒同士を接続する手摺用接続具において、前記フランジを切り欠いて、中挟板の下部周縁に露出部を設け、この露出部がブラケットの受皿部に直接接触するようにしたことを特徴とする手摺用接続具。
【請求項２】
前記中挟板に、下部周縁から径方向に延びるスリット状の切込を入れ、中挟板が撓むようにしたことを特徴とする請求項１に記載の手摺用接続具。
【請求項３】
前記中挟板の下部周縁に、ブラケットの受皿部に当接して握り棒の軸方向に延びる脚部を設けたことを特徴とする請求項１又は２に記載の手摺用接続具。
【請求項４】
前記脚部を、ブラケットの受皿部の凹所に係合させたことを特徴とする請求項３に記載の手摺用接続具。
【発明の詳細な説明】
【技術分野】
【０００１】
この発明は、ブラケットで支持される部分での握り棒同士の接続に使用する手摺用接続具に関するものである。
【背景技術】
【０００２】
従来、図３に示すように、手摺の握り棒５０同士を接続する際には、接続具５１が使用されている。この接続具５１は、２本の握り棒５０の端面間に挟まれる中挟板５２の周囲に、これらの握り棒５０の全周に被さるフランジ５３を設けたものであり、フランジ５３により、２本の握り棒５０の連続性が確保され、その隙間が隠されるようになっている。
【０００３】
この握り棒５０の接続部をブラケット５４で支持する場合には、ブラケット５４として受皿部５５にフランジ５３が嵌まり込む切溝５６を設けたものを使用し、フランジ５３の肉厚を回避して、握り棒５０の外周を受皿部５５に密着させ、握り棒５０が安定して支持されるようにしている。
【発明の開示】
【発明が解決しようとする課題】
【０００４】
しかしながら、このようなブラケット５４を、握り棒５０の接続部でない部分に使用すると、切溝５６が目立つため、体裁よく施工するには、切溝５６のないブラケットを別途用意しておく必要があり、ブラケットの種別管理が煩雑になるという問題があった。
【０００５】
そこで、この発明は、受皿部にフランジの厚さを吸収する切溝がない通常のブラケットを使用できる握り棒の接続具を提供することを課題とする。
【課題を解決するための手段】
【０００６】
上記課題を解決するため、この発明では、２本の握り棒の端面間に挟まれる中挟板の周囲に、握り棒の外周に被さるフランジを設け、ブラケットの受皿部上で握り棒同士を接続する手摺用接続具において、前記フランジを切り欠いて、中挟板の下部周縁に露出部を設け、この露出部がブラケットの受皿部に直接接触するようにし、ブラケットの受皿部に切溝がなくても、握り棒の外周が受皿部に密着して受け止められるようにしたのである。
【０００７】
なお、前記中挟板に、下部周縁から径方向に延びるスリット状の切込を入れ、中挟板が撓むようにすると、外径の寸法が多少異なる握り棒にも対応できる。
【０００８】
また、前記中挟板の下部周縁に、ブラケットの受皿部に当接して握り棒の軸方向に延びる脚部を設けると、握り棒の端面に接続具を固定しなくても、接続具が転倒することなく安定するので、作業性が向上する。
【０００９】
さらに、前記脚部を、ブラケットの受皿部の凹所に係合させると、施工時における接続具の位置決めが容易になり、凹所を握り棒の軸方向に延長しておくと、接続具を凹所に沿ってスライドさせ、位置を微調整することができる。
【発明の効果】
【００１０】
上記のように、この発明では、フランジを切り欠いて、中挟板の下部周縁に露出部を設け、この露出部がブラケットの受皿部に直接接触するようにしたので、受皿部にフランジの厚さを吸収する切溝がないブラケットを使用しても、握り棒の外周がブラケットの受皿部に密着して受け止められ、握り棒を安定して支持することができる。
【発明を実施するための最良の形態】
【００１１】
以下、この発明の実施形態を添付図面に基づいて説明する。
【００１２】
図１及び図２に示すように、この手摺用接続具１は、ブラケット２の受皿部３上で握り棒４同士を接続するために使用するものであり、２本の握り棒４の端面間に挟まれる中挟板５の周囲に、これらの握り棒４の外周に被さるフランジ６を設け、フランジ６を切り欠いて、中挟板５の下部周縁に露出部７を設けた構成とされている。
【００１３】
中挟板５には、２個のビス穴８が設けられると共に、下部周縁から径方向に延びるスリット状の切込９が入れられている。また、中挟板５の下部周縁には、握り棒４の軸方向に延びる脚部１０が設けられ、ブラケット２の受皿部３には、握り棒４の軸方向に延びる細長い凹所１１が形成されている。
【００１４】
このような接続具１を用いて手摺を施工する際には、ブラケット２を壁面に固定し、接続する一方の握り棒４の端面に接続具１を嵌めて、この握り棒４の端部をブラケット２の受皿部３に載せる。
【００１５】
このとき、中挟板５の露出部７がブラケット２の受皿部３に接触するように下に向けておき、脚部１０は、受皿部３の凹所１１に係合させる。また、ビス穴８を介しビスを一方の握り棒４の端面にねじ込み、接続具１をこの握り棒４に固定してもよい。
【００１６】
そして、他方の握り棒４の端面を接続具１に嵌め、この握り棒４の端部をブラケット２の受皿部３に載せて、接続された両方の握り棒４を、それぞれビスでブラケット２の受皿部３に固定する。
【００１７】
このように握り棒４同士を接続してブラケット２に固定すると、ブラケット２の受皿部３にフランジ６の厚さを吸収する切溝がなくても、握り棒４の外周が受皿部３に密着するように受け止められるので、握り棒４を安定して支持することができる。
【００１８】
また、中挟板５に下部周縁から径方向に延びるスリット状の切込９を入れているので、中挟板５をある程度拡径するように撓ませることができ、その撓みにより、外径の寸法が多少異なる握り棒４にも対応することができる。
【００１９】
また、中挟板５の下部周縁に、握り棒４の軸方向に延びる脚部１０を設けているので、施工に際し、握り棒４の端面に接続具１を固定しなくても、接続具１が安定し、作業性が向上する。
【００２０】
さらに、この脚部１０を、ブラケット２の受皿部３に形成された凹所１１に係合させることにより、施工に際し、ブラケット２の受皿部３に対する接続具１の位置決めを容易に行うことができる。
【００２１】
そのほか、この凹所１１が握り棒４の軸方向に長くなっているので、接続具１を凹所１１に沿ってスライドさせ、接続具１の位置を微調整することができる。
【００２２】
なお、凹所１１は、脚部１０よりやや大きい程度のものを、握り棒４の軸方向に複数個並べて配置するようにしてもよい。
【００２３】
また、握り棒４同士を厳密に受皿部３の中央で接続したい場合には、脚部１０が遊びなく嵌まり込む凹所１１を受皿部３の中央部に形成しておくとよい。
【図面の簡単な説明】
【００２４】
【図１】この発明の実施形態に係る手摺用接続具の分解斜視図
【図２】同上の施工状態を示す斜視図
【図３】従来の手摺用接続具の施工状態を示す斜視図
【符号の説明】
【００２５】
１  接続具
２  ブラケット
３  受皿部
４  握り棒
５  中挟板
６  フランジ
７  露出部
８  ビス穴
９  切込
１０  脚部
１１  凹所
【図１】
2005120735.tif 000003
【図２】
2005120735.tif 000004
【図３】
2005120735.tif 000005